(57)【要約】【課題】  複数の系統で入力される放送番組の映像信号を切り替えても同期タイミングずれによる映像障害発生を、装置を大型化することなく容易に防ぐことができる自動番組送出設備、および送出管理方法を提供する。【解決手段】  時計ノード２に標準時計１との時差を修正したローカル時刻情報を出力する設定を行い、ＳＣＰ３は、番組時刻表に従った切替制御情報をテーブルにして管理することにより、スイッチャ６のスイッチング制御を行うＲＴＰ７のうち基準の系統１の制御を行うＲＴＰ７（＃１）に対してはローカル時刻情報に従ったタイミングで切替制御をするコマンドを設定し、系統２の制御を行うＲＴＰ７（＃２）に対してはローカル時刻情報に両系統間の遅延時間の差分で補正したタイミングで切替制御を行うコマンドを設定する。【選択図】  図１
2008028437.tif 000002
【特許請求の範囲】
【請求項１】
標準時計に従って、番組時刻表に記載されたタイミングで発局から子局に向けて複数の系統で送信される放送番組の映像信号をスイッチャで切り替えて送出する自動番組送出設備において、
前記標準時計から入力される時刻情報を、予め測定された前記複数の系統の各遅延時間のうち１つの基準として選択された系統の前記遅延時間だけ遅らせたローカル時刻を出力する時計ノードと、
前記基準の系統の遅延時間と、残りの前記の系統の遅延時間との各差分が記憶装置に書き込まれて初期設定され、前記番組時刻表に記載された前記放送番組に対応して前記スイッチャに入力される前記映像信号に係わり、前記基準の系統を切替る制御を行うＲＴＰに前記ローカル時刻で切り替えるコマンドを出力するとともに、前記残りの系統を切り替える制御を行う各ＲＴＰに前記ローカル時刻から前記差分で補正した第２のローカル時刻で切り替える第２のコマンドを出力するＳＣＰと、
前記スイッチャに入力される系統毎に備えられ、前記時計ノードから前記ローカル時刻の情報を受信するとともに前記ＳＣＰから自分宛に入力される前記コマンド信号と参照して、そのコマンドに指定された前記ローカル時刻で前記スイッチャを切り替える制御を行うＲＴＰとを
具備することを特徴とする自動番組送出設備。
【請求項２】
前記ＳＣＰの前記記憶装置は、
前記番組時刻表に記載される前記放送番組に対応した映像信号の系統と、
前記各ＲＴＰが前記映像信号を前記スイッチャで切り替えるタイミングの前記ローカル時刻とがそれぞれ対応するテーブルになって書込記憶される
ことを特徴とする請求項１記載の自動番組送出設備。
【請求項３】
各前記ＲＴＰは、
前記いずれかの自装置に入力されるコマンドに記載された前記ローカル時刻の情報と前記切替接続条件とが対応する第２のテーブルに書込記憶されるメモリを備え、
前記時計ノードから入力されるローカル時刻と、前記第２のテーブルとを参照して入力された前記コマンドに指定された切替を制御する
ことを特徴とする請求項２記載の自動番組送出設備。
【請求項４】
標準時計と、時計ノードと、ＳＣＰと、ＲＴＰとを備え、
前記標準時計に従って、番組時刻表に記載されたタイミングで発局から子局に向けて複数の系統で送信される放送番組の映像信号をスイッチャで切り替えて送出する自動番組送出設備の送出管理方法において、
前記時計ノードは、
前記標準時計から入力される時刻情報を、予め測定された前記複数の系統の各遅延時間のうち１つの基準として選択された系統の前記遅延時間だけ遅らせたローカル時刻を出力し、
前記ＳＣＰは、
前記基準の系統の遅延時間と、残りの前記の系統の遅延時間との各差分が記憶装置に書き込まれて初期設定され、
前記番組時刻表に記載された前記放送番組に対応して前記スイッチャに入力される前記映像信号に係わり、前記基準の系統を切替る制御を行うＲＴＰに前記ローカル時刻で切り替えるコマンドを出力するとともに、前記残りの系統を切り替える制御を行う各ＲＴＰに前記ローカル時刻から前記差分で補正した第２のローカル時刻で切り替える第２のコマンドを出力し、
前記何れかのコマンドが入力されるＲＴＰは、前記スイッチャに入力される系統毎に備えられ、
前記時計ノードから前記ローカル時刻の情報を受信して前記ＳＣＰから自分宛に入力される前記コマンド信号と参照し、そのコマンドに指定された前記ローカル時刻で前記スイッチャを切り替える制御を行う
ことを特徴とする自動番組送出設備の送出管理方法。
【請求項５】
前記ＳＣＰの前記記憶装置は、
前記番組時刻表に記載される前記放送番組に対応した映像信号の系統と、
前記各ＲＴＰが前記映像信号を前記スイッチャで切り替えるタイミングの前記ローカル時刻とがそれぞれ対応するテーブルになって書込記憶される
ことを特徴とする請求項４記載の自動番組送出設備の送出管理方法。
【請求項６】
各前記ＲＴＰは、
前記いずれかの自装置に入力されるコマンドに記載された前記ローカル時刻の情報と前記切替接続条件とが対応する第２のテーブルに書込記憶されるメモリを備え、
前記時計ノードから入力されるローカル時刻と、前記第２のテーブルとを参照して入力された前記コマンドに指定された切替を制御する
ことを特徴とする請求項５記載の自動番組送出設備の送出管理方法。
【発明の詳細な説明】
【技術分野】
【０００１】
本発明は、放送局の自動番組送出設備、およびその送出管理方法に関する。
【背景技術】
【０００２】
放送局では、所定の番組時刻表に従って、自動番組送出設備（Ａｕｔｏｍａｔｉｃ  Ｐｒｏｇｒａｍ  Ｃｏｎｔｒｏｌｌｅｒ、以下、ＡＰＣと称する。）が放送番組のコンテンツの映像信号をスイッチャによって選択して切替ることにより送信機に向けて送出する。
【０００３】
コンテンツには、放送局のスタジオに設置されるビデオサーバや、カメラ映像信号の他に特に系列局（以下、子局と称する。）では、中央局、又は発局（以下、親局と称する。）から送信されるネット番組等がある。
【０００４】
従来、親局と子局の間では、取り扱う映像信号の同期が異なるためにシンクロナイザ等の同期位相校正装置等によって、同期信号のタイミングが一致する様に調整される（例えば、特許文献１。）。
【０００５】
この様な方法では、映像信号の系統が１つであれば同期ずれが調整され、映像表示に異常は発生しない。しかし、最近ではデジタル放送を始めとし、ネット番組の映像信号が複数系統で親局から子局に向けて送信される場合、例えば、ＳＤ信号とＨＤ信号の２系統の様になる事が多い。その場合、２系統の経路長や伝送装置等の処理時間に差があると親子局間の伝送時間に遅延差異が生じる。
【０００６】
この様な場合、番組時刻表に合わせてネット番組の映像信号をスイッチャで選択する切替を行うと、一方の系統に対して他方の系統は同期信号の入力位相に差が生じているのでテレビ受信機側で何れか一方の映像は、映像フレームの欠落やちらつきなどの異常が生じてしまう問題があった。
【０００７】
図６は、従来の番組送出システムの機能構成を示す系統図である。  
以下、図６により、従来の番組送出システムの動作概要を説明する。
【０００８】
図６において、ネット番組送出システムは、親局側の装置として番組送出装置ＰＡと当該放送局における標準時計１０とが有る。また、子局側の装置として子局に設置されるか、又はセンター等に子局毎に対応して設置され、標準時計１から入力される時刻を時差調整した時刻情報を子局に供給する時計ノード２０、番組の時刻表のデータがデータサーバ（図示せず）から入力され、その番組時刻表を元に映像信号の送出制御を行うＳＣＰ（Ｓｃｈｅｄｕｌｅ  Ｃｏｎｔｒｏｌ  Ｐｒｏｃｅｓｓｏｒ）３０、系統１の信号（ここでは、ＳＤ信号とする。）を伝送し受信装置を含む伝送路４０とそれに挿入される遅延手段４１、系統２の信号（ここでは、ＨＤ信号とする。）を伝送し受信装置を含む伝送路５０とそれに挿入される遅延手段５１、複数の入力される映像信号から所定の映像信号を選択して出力するスイッチャ６０、スイッチャ６０を時計ノード２０からの時刻情報と、ＳＣＰ３０からのコマンドによって切替え制御を行うＲＴＰ（Ｒｅａｌ  Ｔｉｍｅ  Ｐｒｏｃｅｓｓｏｒ）７０、ＳＣＰ２０とＲＴＰ７０とが接続され、コマンド等の制御信号を伝送する制御バス８０とを備えている。
【０００９】
ＳＣＰ３０は、番組時刻表に従って予め作成される時刻タイミングでスイッチャ６０を切り替えるように切替コマンドを制御バス８０を介してＲＴＰ７０へ送信する。
【００１０】
時計ノード装置２０は、発局と当該子局間の伝送遅延時間を補正するよう時刻を調整したローカル時刻情報を子局に出力している。例えば、予め、親子局間で測定された系統１、系統２の伝送時間の大きい遅延時間に合わせて遅らせたローカル時刻情報を出力する。仮に系統１の方が系統２よりも遅延が大きく、例えば、遅延時間が３フレーム相当であれば、その３３ｍｓｅｃ×３＝１００ｍｓｅｃだけ時刻を遅らせた時刻情報を子局に出力する。
【００１１】
即ち、標準時計１０が正午１２：００：００．００で有れば、時計ノード２０からは、＠１１：５９：５９．９０がローカル時刻情報として出力されている（以下、＠マークの付いた時刻はローカル時刻を表す）。
【００１２】
もし、正午に、親局からのニュース放送をネット番組として放送する場合、ＳＣＰ３０は、ＲＴＰ７０へ時計ノード２０からの時刻情報が１２：００：００のタイミングでスイッチャ６０を切替るコマンドを出力する。ここで子局では、伝送遅延があるので親局で標準時計の１２：００：００．００に送信されたＳＤ信号の映像信号が、送信後１００ｍｓｅｃ後に到着する。
【００１３】
子局では、上述の如く時計ノード２０から供給される時刻情報は１００ｍｓｅｃ遅れているので、見かけ上１２：００：００．００に受信されることになる。即ち、送信タイミングと一致してスイッチャ６０が番組をニュース放送開始に合わせて切替えることになる。
【００１４】
一方、同様に系統２に付いても予め伝送時間が測定され、系統１よりも遅延が少ない２．５フレーム相当の８５ｍｓｅｃの遅延時間であったとする。この場合、スイッチャ６０が切り替えるＨＤ信号は、遅延時間が少なく、先頭の同期信号タイミングも合わないので最初の１フレームの映像が失われる可能性がある。
【００１５】
そこで、この遅延時間差を埋めるため、従来は、遅延手段５１を用いて、ＨＤ信号が更に１５ｍｓｅｃ遅れてスイッチャ６０に入力するようにタイミング調整を行っている。もし、遅延時間が逆に系統２の方が大きい場合は、上記の関係を逆にすればよい。
【００１６】
しかし、この方法では、遅延時間が子局毎にまちまちであり、遅延手段の調整に手間がかかる。即ち、遅延手段であるケーブルに挿入される遅延線に様々な仕様のものを用いるか、調整タップ付きのものを用いるにしてもコストが高い。また、映像信号がデジタル変調されているものであっても、伝送される信号を一旦復調した上でタイミング調整をしなければならないなどコストがかかり、また装置が大きくなる等の問題が有った。
【特許文献１】特開２００４−３２６３０号公報  （第１１頁、第３図）
【発明の開示】
【発明が解決しようとする課題】
【００１７】
ネット系列の子局の放送局では、親局から複数の系統で伝送されるネット番組の信号切替タイミングを合わせる為に複数の系統毎に異なる遅延線を揃えなければならず、調整が手間取ると共にコストがかかる問題があった。
【００１８】
本発明は、上記問題を解決するためになされたもので、複数の系統で入力される放送番組の映像信号を切り替えても同期タイミングずれによる映像障害発生を、装置を大型化することなく容易に防ぐことができる自動番組送出設備、および送出管理方法を提供することを目的とする。
【課題を解決するための手段】
【００１９】
上記目的を達成するために、本発明の自動番組送出設備は、標準時計に従って、番組時刻表に記載されたタイミングで発局から子局に向けて複数の系統で送信される放送番組の映像信号をスイッチャで切り替えて送出する自動番組送出設備において、前記標準時計から入力される時刻情報を、予め測定された前記複数の系統の各遅延時間のうち１つの基準として選択された系統の前記遅延時間だけ遅らせたローカル時刻を出力する時計ノードと、前記基準の系統の遅延時間と、残りの前記の系統の遅延時間との各差分が記憶装置に書き込まれて初期設定され、前記番組時刻表に記載された前記放送番組に対応して前記スイッチャに入力される前記映像信号に係わり、前記基準の系統を切替る制御を行うＲＴＰに前記ローカル時刻で切り替えるコマンドを出力するとともに、前記残りの系統を切り替える制御を行う各ＲＴＰに前記ローカル時刻から前記差分で補正した第２のローカル時刻で切り替える第２のコマンドを出力するＳＣＰと、前記スイッチャに入力される系統毎に備えられ、前記時計ノードから前記ローカル時刻の情報を受信するとともに前記ＳＣＰから自分宛に入力される前記コマンド信号と参照して、そのコマンドに指定された前記ローカル時刻で前記スイッチャを切り替える制御を行うＲＴＰとを具備することを特徴とする。
【００２０】
また、本発明の自動番組送出設備の送出管理方法は、標準時計と、時計ノードと、ＳＣＰと、ＲＴＰとを備え、前記標準時計に従って、番組時刻表に記載されたタイミングで発局から子局に向けて複数の系統で送信される放送番組の映像信号をスイッチャで切り替えて送出する自動番組送出設備の送出管理方法において、前記時計ノードは、前記標準時計から入力される時刻情報を、予め測定された前記複数の系統の各遅延時間のうち１つの基準として選択された系統の前記遅延時間だけ遅らせたローカル時刻を出力し、前記ＳＣＰは、前記基準の系統の遅延時間と、残りの前記の系統の遅延時間との各差分が記憶装置に書き込まれて初期設定され、前記番組時刻表に記載された前記放送番組に対応して前記スイッチャに入力される前記映像信号に係わり、前記基準の系統を切替る制御を行うＲＴＰに前記ローカル時刻で切り替えるコマンドを出力するとともに、前記残りの系統を切り替える制御を行う各ＲＴＰに前記ローカル時刻から前記差分で補正した第２のローカル時刻で切り替える第２のコマンドを出力し、前記何れかのコマンドが入力されるＲＴＰは、前記スイッチャに入力される系統毎に備えられ、前記時計ノードから前記ローカル時刻の情報を受信して前記ＳＣＰから自分宛に入力される前記コマンド信号と参照し、そのコマンドに指定された前記ローカル時刻で前記スイッチャを切り替える制御を行うことを特徴とする。
【発明の効果】
【００２１】
本発明によれば、複数の系統で入力される放送番組の映像信号の同期タイミングずれによる映像障害発生を、装置の大型化せずに容易に防ぐことができる自動番組送出設備、および送出管理方法を提供することができる。
【発明を実施するための最良の形態】
【００２２】
以下、図面を参照して本発明の実施例を説明する。
【実施例】
【００２３】
図１は、本発明の実施例に係わる自動番組送出設備の系統図である。  
以下、図１により、本発明の番組送出設備の実施例の動作概要を説明する。なお、従来例と重複する事項については説明を省略する。  
図１において、本発明の実施例の番組送出設備は、親局側の装置として２つの系統それぞれに番組送出装置ＰＡ（＃１、＃２）と当該放送局における標準時計１とがある。また、子局側の装置として子局に設置されるか、又はセンター等に子局毎に準備され、標準時計１から入力される時刻を各子局に対応するよう時差調整した時刻情報を子局に供給する時計ノード２、番組の時刻表のデータがデータサーバ（図示せず）から入力され、その番組時刻表を元に映像信号の送出制御を行うＳＣＰ（Ｓｃｈｅｄｕｌｅ  Ｃｏｎｔｒｏｌ  Ｐｒｏｃｅｓｓｏｒ）３、系統１の信号（ここでは、ＳＤ信号とする。）を伝送し受信装置を含む伝送路４、系統２の信号（ここでは、ＨＤ信号とする。）を伝送し受信装置を含む伝送路５、複数の入力される映像信号から所定の映像信号を選択して出力するマトリクススイッチャ６（以下、スイッチャ６と称する。）、スイッチャ６を時計ノード２からの時刻情報と、ＳＣＰ３からのコマンドによってそれぞれ系統１、系統２の切替え制御を行うＲＴＰ（Ｒｅａｌ  Ｔｉｍｅ  Ｐｒｏｃｅｓｓｏｒ）７（＃１、＃２）、そしてＳＣＰ２とＲＴＰ７とが接続されコマンド等の制御信号を伝送する制御バス８とを備えている。
【００２４】
伝送路４、５は、番組送出装置ＰＡと、スイッチャ６との間の伝送時間が一定の許容範囲を超えて変動しないものであれば専用線、ケーブル、又はネットワーク等の何れでも良い。ＲＴＰ７（＃１）、ＲＴＰ７（＃２）がスイッチャ６を制御する制御信号出力は、各ＲＴＰ７の制御端子へ入力されている。
【００２５】
時計ノード装置２は、標準時計１から入力される時刻情報を親局と子局間の伝送遅延時間を補正するよう時刻を調整した時刻情報を子局のＳＣＰ３、ＲＴＰ７等の各装置へ出力する。そのため予め、親子局間で測定された系統１、系統２の伝送時間の何れか一方の遅延時間に合わせて子局のＳＣＰ３、ＲＴＰ７等各装置へ時刻情報を遅らせて出力する。
【００２６】
ここでは、系統１が１００ｍｓｅｃ、系統２が８５ｍｓｅｃの遅延時間であるとする。そして、従来例と同じ系統１の遅延時間３フレーム相当の３３ｍｓｅｃ×３＝１００ｍｓｅｃだけ時刻を遅れたローカル時刻情報が子局に出力される。即ち、標準時計１０が正午１２：００：００．００で有れば、時計ノード２０からは、＠１１：５９：５９．９０がローカル時刻情報として出力される（以下、＠マークの付いた時刻はローカル時刻情報を表す。）。
【００２７】
図２は、ＳＣＰ３の機能構成を示すブロック図である。  
図２において、ＳＣＰ３は、内部バス等でそれぞれの間が接続されるＣＰＵ３１、記憶装置３２、通信ＩＦ（インタフェース）３３、内部時計３４と、入出力部３５とを備えている。
【００２８】
ＳＣＰ３へは、図示されないデータサーバから、番組送出開始時間と、放送番組名（コンテンツ名）等が記載された番組時刻表のデータが制御バス８等の通信手段によりを通信ＩＦ３３を介してか、又は記憶媒体、キーボード等により入出力部３４を介して入力される。
【００２９】
ＳＣＰ３では、内部バスを介してこの番組時刻表のデータを受信すると、ＣＰＵ３１が実行する制御プログラムは入力された時刻表のデータを元に、更に送出される番組送出装置ＰＡ等のコンテンツ毎の供給源となる装置や、そのコンテンツと多重されるコンテンツの供給装置（図示せず）、それらの装置の動作を制御するコマンド、放送番組コンテンツが入出力されるスイッチャ６の切替タイミングや経路をテーブルＴにして、内部の記憶装置３２に書込記憶する。
【００３０】
内部時計３４は、時計ノード２に接続され、ローカル時刻情報を内部バスに出力する。ＣＰＵ３１は、この内部時計３４からのローカル時刻情報とテーブルＴを参照して各装置を制御する制御信号やコマンドを通信ＩＦ３３を介して番組放送時刻に先立って、制御バス８を介して制御対象となる装置や機器へ向けて出力する。
【００３１】
この制御には、例えば、番組時刻表に従って、コンテンツを出力する装置の選択や番組送出の系統やタイミングを制御するものがあり、予め定められた時刻タイミングでスイッチャ６を切り替えるように切替コマンドが制御バス８を介して各ＲＴＰ７へ出力される。
【００３２】
ＲＴＰ７は、制御バス８を介して受信した制御信号、コマンドを内部メモリにテーブルＴ２（図示せず）にして記憶する。また、ＲＴＰ７は、時計ノード２から受信するローカル時刻情報に従う内部時計（図示せず）を備えている。ＲＴＰ２系統２では７は、コマンドに記載された時刻情報と時計ノード２から受信するローカル時刻情報とを、言い換えれば、テーブルＴ２と内部時計とを参照しながらＳＣＰ３に設定された所定の時刻にスイッチャ６の入出力先を切り替える制御信号をスイッチャ６へ出力する。
【００３３】
図３は、ＳＣＰ３の記憶装置３２が記憶するテーブルＴの一部を示す図である。  
図３に示されるテーブルＴは、系統１、系統２で入力されるネット放送の番組信号の切替と、子局で放送される地域の広告番組「ＣＭ１」を切替える部分を示している。また、ＲＴＰ７（＃１）、（＃２）のテーブルＴ２は、ＲＴＰ７（＃１）、（＃２）の該当部分である。
【００３４】
正午に、親局からのニュース放送「ＮＥＷＳｎｏｏｎ」をネット番組として放送する場合、系統１、系統２を介して発局から送信されるＳＤ、ＨＤの映像信号をスイッチャ６を介して送信機へ向けて出力する。そのためＳＣＰ３は、予めＲＴＰ７（＃１）へニュース開始時刻に合わせて時計ノード２からの時刻情報が１２：００：００のタイミングでスイッチャ６０を切替るコマンドを出力する。
【００３５】
系統１では、伝送（遅延）時間と切替タイミングが合うように時計ノード２０からローカル時刻情報が出力されているので、ローカル時刻の＠１２：００：００．００に系統１の入力先をＡ１１を送信機への出力先Ｂ１０に接続させる。テーブルＴでは、ＲＴＰ７（＃１）の欄に時刻情報に続いてスイッチャの接続ポイントが「12:00:00.00[A11ｘB10」と記述されている。
【００３６】
一方、系統２では、遅延時間が１５ｍｓｅｃ短いので、ＲＴＰ７（＃２）では、時刻情報と接続ポイントとが「11:59:59.85[A21ｘB20」と記述されている。そのため、ローカル時刻＠１２：００：００．００より１５ｍｓｅｃ早く切り替えることにより系統２では、同期はずれを起こすことなく画面を切り替えることが出来る。
【００３７】
従来は、系統２に大してＲＴＰ７を用いずにＲＴＰが１台で２つの系統を切替える制御を行った。そして、遅延線等を系統２に挿入して両系統の遅延時間を揃えることにより切替タイミング、言い換えれば、映像信号の同期タイミングを合わせていた。しかし、実施例では、簡単なプロセスコントローラを用いるＲＴＰによって切替タイミングを系統毎に対応して容易に切り替える事が出来る。次に、この遅延時間差に対する設定管理について説明する。
【００３８】
図４は、系統１と系統２の伝送時間の関係を示す図である。  
図４（ａ）では、図３に対応する標準時刻と動作タイミングの関係を示す。図４（ｂ）は、発局での標準時刻を基準にした番組送出時の詳細タイミング図である。  
図４（ｂ）では、親局（又は、発局）での標準時刻の番組切替タイミングに合わせて送出されるコンテンツの映像信号の同期信号Ｓのタイミングであり、放送開始の標準時刻のタイミングに時間Δｔが経過して番組の開始映像フレームの同期信号Ｓが送信される。子局では、予め、標準時計１を時刻基準にして親局から送信する試験信号（例えば同期信号を利用する。）の到着時刻を測定すれば、遅延時間を求めることが出来る。
【００３９】
図３では、系統１でｔ１＝１００ｍｓｅｃ、系統２ではｔ２＝８５ｍｓｅｃであるとする。図４に示されるΔｔは、標準時刻を基準にした切替タイミングに対して常に一定の時間である。系統１ではこのΔｔを含んだ１００ｍｓｅｃの遅延時間が測定されるので時計ノード２０は、１００ｍｓｅｃの時差を持つローカル時刻を設定している。他方の系統２でも同様に遅延時間が８５ｍｓｅｃとして測定され、その遅延時間の差分は、ｔ２−ｔ１＝（−１５ｍｓｅｃ）である。
【００４０】
ＳＣＰ３は、系統１の切替を行うＲＴＰ７（＃１）については、ローカル時刻情報に合わせて切替等のコマンドを指示すれば良い。一方、系統２については、系統での遅延時間差は、１５ｍｓｅｃで常に一定なので系統１のローカル時刻情報を基準にして系統１からの差分の遅延時間で動作するＲＴＰが切替の制御をすれば良く、時計ノード２を系統毎に設ける必要は無い。
【００４１】
図５は、ＳＣＰ３におけるＲＴＰ７の動作制御を行う処理手順を説明するフローチャートである。  
以下、図５によりＳＣＰ３とＲＴＰ７の動作を説明する。  
図５において、ＳＣＰ３は、子局の自動番組送出設備の電源投入、または、初期設定時に、系統１を基準とすることと、予め測定された系統１の遅延時間１００ｍｓｅｃと、残りの系統２との遅延時間の差分、（ここでは、進み１５ｍｓｅｃ、即ち−１５ｍｓｅｃ）をＳＣＰ３の入出力部３５から初期設定値として、オペレータにより入出力部３５から入力される（ステップｓ−１）。
【００４２】
ＳＣＰ３は、この遅延時間１００ｍｓｅｃを時刻調整値として時計ノード２に制御バス８を介して送信し（ステップｓ−２）、時計ノード２は、受信する標準時刻に１００ｍｓｅｃ遅れたローカル時刻で出力する調整をする。なお、この時計ノード２へのローカル時刻設定は、制御バス８によらず、オペレータが、図示されない時計ノード２のダイヤル等の調整入力手段を用いて調整されるものであっても良い。
【００４３】
そして、初期設定終了後、データサーバから番組時刻表のデータが入力される（ステップｓ−３）。引き続いて、予め準備された制御手順を設定するプログラムにより各装置を制御するテーブルＴが作成され、その制御コマンドが各装置へ送信される。以下、前述の１２：００：００にニュースを放送する場合の系統１、系統２に対する切替処理の手順を説明する。
【００４４】
ＳＣＰ３のＣＰＵ３１は、図３に相当するテーブルＴを作成する為に、番組時刻表を判読し、所定の放送時刻の番組送出制御の対象となる各装置が、基準となる系統１のローカル時刻のタイミングで動作する対象の機器、装置か否かを判定する（ステップＳ―４）。
【００４５】
ＲＴＰ７（＃１）は、基準の系統１の制御を行う（ステップＳ―４がＹｅｓ）のでそのままローカル時刻の＠１２：００：００で動作を行うコマンド「12:00:00.00[A11ｘB10」を作成してテーブルＴに書込むと共に制御バス８を介してＲＴＰ７（＃１）へ出力する（ステップｓ−５）。
【００４６】
制御バス８を介してそのコマンドを受信したＲＴＰ７（＃１）は、内部の記憶手段に図３と同様なテーブルＴ２を作成してそのコマンドを書込む（ステップｓ−６）。そして、時計ノード２から受信するローカル時刻とテーブルＴ２とを参照し、所定のローカル時刻（ここでは、＠１２：００：００．００）になるとスイッチャ６をスイッチング制御する（ステップｓ−７）。
【００４７】
ＳＣＰ３は、基準系統でない系統２（ステップＳ―４がＮｏ）については、基準の系統１とタイミングをずらして制御を行うので初期設定されたデータから差分の時間（−１５ｍｓｅｃ）を読み出す（ステップｓ−５ａ）。
【００４８】
そして、ローカル時刻を差分補正したタイミングで動作するコマンド「11:59:59.85[A21ｘB20」をテーブルＴに書込むと共に、制御バス８を介してＲＴＰ７（＃２）へ出力する（ステップｓ−５ｂ）。
【００４９】
制御バス８を介してそのコマンドを受信したＲＴＰ７（＃２）は、内部の記憶手段に図３と同様なテーブルＴ２を作成してそのコマンドを書込み記憶する（ステップｓ−６ａ）。そして、時計ノード２から受信するローカル時刻とテーブルＴ２とを参照し、差分補正されたローカル時刻（ここでは、＠１１：５９：５９．８５）になるとスイッチャ６をスイッチング制御する（ステップｓ−７ａ）。
【００５０】
同様にＳＣＰ３は、同じくネットワーク８を介して、１２：００：００に切替等の処理を行う装置について、所定の動作（ここでは、図示されないビデオサーバを出力停止する。）を指定するコマンドを作成し、制御バス８を介して当該装置（ここでは、前述のビデオサーバ）へ送付する。
【００５１】
以上説明した如く、本発明の番組送出設備では、ネット番組等の入力位相が異なるコンテンツの映像信号が入力されても、ネットの系統入力を切替制御するＲＴＰが、同期信号の対応が一致するように系統毎に切替タイミングを制御するので、従来の様なコストがかかり、装置が大型化する遅延線や、タイミング調整回路等の遅延手段を用いる必要が無い。
【００５２】
また、ＲＴＰの動作タイミングは、系統毎の遅延時間の差分が予めＳＣＰに初期設定され、基準系列のローカル時刻に従い全ての装置や機器間のタイミング調整が自動的に行われ、設定番組時刻表の入力毎にタイミング設定をしないですむので管理が容易な自動番組送出設備を実現出来る。
【図面の簡単な説明】
【００５３】
【図１】本発明の実施例に係わる自動番組送出設備の系統図。
【図２】本発明の実施例に係わる自動番組送出設備のＳＣＰの機能構成を示すブロック図。
【図３】ＳＣＰの記憶装置が記憶するテーブルＴの一部の例。
【図４】系統１と系統２との間の伝送時間の関係を示す図。
【図５】ＳＣＰにおけるＲＴＰの動作制御を行う処理手順を説明するフローチャート。
【図６】従来の番組送出システムの機能構成を示す系統図。
【符号の説明】
【００５４】
１  標準時計
２  時計ノード
３  ＳＣＰ（Ｓｃｈｅｄｕｌｅ  Ｃｏｎｔｒｏｌ  Ｐｒｏｃｅｓｓｏｒ）
３１  ＣＰＵ
３２  記憶装置
３３  通信ＩＦ（インタフェース）
３４  内部時計
３５  入出力部
伝送路
６  スイッチャ
７  ＲＴＰ（Ｒｅａｌ  Ｔｉｍｅ  Ｐｒｏｃｅｓｓｏｒ）
８  制御バス
Ｔ  テーブル
【図１】
2008028437.tif 000003
【図２】
2008028437.tif 000004
【図３】
2008028437.tif 000005
【図４】
2008028437.tif 000006
【図５】
2008028437.tif 000007
【図６】
2008028437.tif 000008